(57)【特許請求の範囲】
【請求項１】
少なくともセンタハウジング部と左右一対のチューブハウジング部とを互いに接合することにより構成されるアクスルハウジングにおいて、上記センタハウジング部を分割構造とし、上記左右一対のチューブハウジング部のセンタハウジング部側端部を延長して上記センタハウジング部のデフ収納部形状に拡大成形し、該拡大成形したチューブハウジング部の延長部を上記センタハウジング部の内部に入れ、下部側先端を除いて上記センタハウジング部に重なり合わせて接合させ、上記チューブハウジング部の一部を、上記センタハウジング部の底面から所定の高さ位置に配設される横方向の壁であるバッフルプレートとして構成したことを特徴とするアクスルハウジング。
【請求項２】
上記一方のチューブハウジング部の延長部の上面部には、巾方向に沿って延びる凹部が形成され、該凹部によってブリーザプラグの取付箇所が覆われていることを特徴とする請求項１に記載のアクスルハウジング。
【請求項３】
少なくともセンタハウジング部と左右一対のチューブハウジング部とを互いに接合することにより構成されるアクスルハウジングにおいて、上記センタハウジング部を分割構造とし、上記チューブハウジング部側に位置する基端部を上記センタハウジング部に接合し、先端部を上記センタハウジング部内に突出して上記センタハウジング部の底面から所定の高さ位置に配設される横方向の壁であるバッフルプレート構造を持つ補強部材を配置したことを特徴とするアクスルハウジング。
【請求項４】
少なくともセンタハウジング部と左右一対のチューブハウジング部とを互いに接合することにより構成されるアクスルハウジングにおいて、上記センタハウジング部を分割構造とし、上記センタハウジング部側が拡大成形された筒状体の下端側先端部を上記センタハウジング部内に突出して上記センタハウジング部の底面から所定の高さ位置に配設される横方向の壁であるバッフルプレート構造を持つ補強部材を配置したことを特徴とするアクスルハウジング。
【請求項５】
上記補強部材の上面部には、巾方向に沿って延びる凹部が形成され、該凹部によってブリーザプラグの取付箇所が覆われていることを特徴とする請求項４に記載のアクスルハウジング。
【発明の詳細な説明】
【０００１】
【発明の属する技術分野】
本発明は、四輪車用のアクスルハウジングに関するものである。
【０００２】
【従来の技術】
一般に、自動車用リジッドアクスル式サスペンションの駆動車軸に適用されるアクスルハウジングには、例えば図８〜図１０に示すようなものがある。このアクスルハウジング５１は、上下一対のセンタハウジング部５２，５３、左右一対のチューブハウジング部５４，５５およびバッキングチューブ５６等を有しており、これら各部材は溶接によって互いに接合されている。しかして、センタハウジング部５２，５３のデフ収納部５７内にはディファレンシャルギヤ５８が配置され、チューブハウジング部５４，５５内には図示しないアクスルシャフトが挿入されるとともに、センタハウジング部５２，５３にはデフオイル５９が注油されている。
【０００３】
【発明が解決しようとする課題】
ところが、上述した従来のアクスルハウジング５１では、センタハウジング部５２，５３とチューブハウジング部５４，５５との接合部などが応力集中部となるので、補強部材６０を使用することによって強度確保を図る必要があった。また、従来のアクスルハウジング５１では、自動車走行中の横加速度や路面の傾斜などによってデフオイル５９がディファレンシャルギヤ５８の付近から流出するので、これを防ぐオイルデフレクタプレート６１やオイルデフレクタ６２が必要であった。したがって、従来のアクスルハウジング５１では、多くの部品を用いる必要があることから、部品点数が増えてコスト高を招くおそれがあった。
【０００４】
一方、上記オイルデフレクタプレート６１は、図１０に示す如く、センタハウジング部５２，５３のデフ収納部５７内に立設されているので、矢印に示すように、デフオイル５９の外方への流出がオイルデフレクタプレート６１により抑制されるが、いったん流出したデフオイル５９はオイルデフレクタプレート６１によりデフ収納部５７内に戻りにくいという不具合を有していた。
【０００５】
本発明はこのような実状に鑑みてなされたものであって、その目的は、簡単な構造で高強度・高機能を得ることができ、かつ部品点数の削減によってコストダウンを図ることが可能なアクスルハウジングを提供することにある。
【０００６】
【課題を解決するための手段】
上記従来技術の有する課題を解決するために、本発明においては、少なくともセンタハウジング部と左右一対のチューブハウジング部とを互いに接合することにより構成されるアクスルハウジングにおいて、上記センタハウジング部を分割構造とし、上記左右一対のチューブハウジング部のセンタハウジング部側端部を延長して上記センタハウジング部のデフ収納部形状に拡大成形し、該拡大成形したチューブハウジング部の延長部を上記センタハウジング部の内部に入れ、下部側先端を除いて上記センタハウジング部に重なり合わせて接合させ、上記チューブハウジング部の一部を、上記センタハウジング部の底面から所定の高さ位置に配設される横方向の壁であるバッフルプレートとして構成している。
また、本発明においては、少なくともセンタハウジング部と左右一対のチューブハウジング部とを互いに接合することにより構成されるアクスルハウジングにおいて、上記センタハウジング部を分割構造とし、上記チューブハウジング部側に位置する基端部を上記センタハウジング部に接合し、先端部を上記センタハウジング部内に突出して上記センタハウジング部の底面から所定の高さ位置に配設される横方向の壁であるバッフルプレート構造を持つ補強部材を配置している。
さらに、本発明においては、少なくともセンタハウジング部と左右一対のチューブハウジング部とを互いに接合することにより構成されるアクスルハウジングにおいて、上記センタハウジング部を分割構造とし、上記センタハウジング部側が拡大成形された筒状体の下端側先端部を上記センタハウジング部内に突出して上記センタハウジング部の底面から所定の高さ位置に配設される横方向の壁であるバッフルプレート構造を持つ補強部材を配置している。
【０００７】
【発明の実施の形態】
以下、本発明を図示の実施の形態に基づいて詳細に説明する。
【０００８】
図１〜図３は、本発明に係るアクスルハウジングの実施の形態を示している。図において、１は本実施の形態の四輪車用アクスルハウジングであり、このアクスルハウジング１は、２分割構造とされた上下一対のセンタハウジング部２，３と、これらセンタハウジング部２，３の左右両端に配設される左右一対のチューブハウジング部４，５とを備えており、センタハウジング部２，３とチューブハウジング部４，５とを溶接にて互いに接合することにより構成されている。
【０００９】
上記センタハウジング部２，３は、相互に向き合って配置される正面略半円弧状体であり、これらセンタハウジング部２，３を上下方向から合わせて配設することにより、デフ収納部６がアクスルハウジング１の内部に形成されるようになっている。このデフ収納部６内には、ディファレンシャルギヤ７が回転自在に配置されているとともに、デフオイル８が注油されている。なお、図１において、９はカバーである。
【００１０】
一方、上記チューブハウジング部４，５は、図示しないアクスルシャフトを内挿することが可能な管状体であり、それぞれのセンタハウジング部２，３側に位置する端部には、これをデフ収納部６内に向かって延長した延長部１０，１１が軸心方向に沿って設けられている。しかも、これら延長部１０，１１は、センタハウジング部２，３のデフ収納部６の形状に対応すべく拡大成形されており、拡大成形された延長部１０，１１は下部側先端を除いてセンタハウジング部２，３に重なり合わせられた状態で、当該重合部が溶接により接合されるように構成されている。したがって、アクスルハウジング１は、応力集中部となるセンタハウジング部２，３とチューブハウジング部４，５との接合部が広い範囲にわたって２重構造となっている。
【００１１】
また、上記チューブハウジング部４，５の延長部１０，１１の下部側は、センタハウジング部２，３の内部に入れられ、これによってチューブハウジング部４，５の一部がバッフルプレート１０ａ，１１ａとして構成されている。これらバッフルプレート１０ａ，１１ａは、センタハウジング部３の底面から所定の高さ位置に配設される横方向の壁であり、自動車走行中の横加速度負荷時や路面傾斜時にもデフ収納部６内にデフオイル８が残存するようになっている。すなわち、バッフルプレート１０ａ，１１ａによって、デフ収納部６からデフオイル８の流出が抑制され、それと同時に側方に流出したデフオイル８がディファレンシャルギヤ７付近に戻り易くなっている。
【００１２】
さらに、一方のチューブハウジング部４の延長部１０の上面部には、巾方向に沿って延びる凹部１２が形成されており、この凹部１２はブリーザプラグ１３と対応して配設されている。このため、ブリーザプラグ１３の取付箇所は、延長部１０の凹部１２によって覆われ、ブリーザプラグ１３からのオイル飛沫の流出が防止できる構造となっている。
【００１３】
なお、チューブハウジング部４，５の製法としては、パイプ材の端部拡管又はスウェィジング、液圧バルジ加工後に切断し、プレス品（上下分割）の溶接等が考えられる。
【００１４】
本実施の形態のアクスルハウジング１では、チューブハウジング部４，５のセンタハウジング部２，３側に特殊な形状の延長部１０，１１を形成し、応力集中部となるセンタハウジング部２，３とチューブハウジング部４，５との接合部を広い範囲で２重構造としているため、従来のアクスルハウジングに必要であった補強部材が不要となった。また、延長部１０，１１の下部側は、従来において縦方向の壁を設置していたのに変えて、所定の高さ位置に配設された横方向の壁とするバッフルプレート１０ａ，１１ａとして構成されているため、従来のアクスルハウジングに必要であったオイルデフレクタを廃止できて簡単な構造が得られ、しかも、図３の矢印に示す如く、デフオイル８の流出を抑制するのと同時にチューブハウジング部４，５へ流出したデフオイル８を円滑に戻すことが可能となった。
【００１５】
以上、本発明の実施の形態につき述べたが、本発明は既述の実施の形態に限定されるものではなく、本発明の技術的思想に基づいて各種の変形および変更が可能である。
【００１６】
例えば、図４および図５に示すようなアクスルハウジング２１は、センタハウジング部２２，２３とチューブハウジング部２４，２５を従来構造とし、既述の実施の形態と異なり、半円筒状体の補強部材２６，２７を用いている。そして、これら補強部材２６，２７のチューブハウジング部２４，２５側に位置する基端部２６ａ，２７ａをセンタハウジング部２３に接合し、補強部材２６，２７の先端部２６ｂ，２７ｂをセンタハウジング部２２，２３内に突出すべく配置して、オイル流出抑制のバッフルプレートとして用いている。したがって、この変形例によれば、補強部材２６，２７がバッフルプレートとしての機能も有しているため、従来のアクスルハウジングで使用したオイルデフレクタプレートは不要となる。
【００１７】
また、図６および図７に示すようなアクスルハウジング３１は、上記変形例と同様、センタハウジング部２２，２３とチューブハウジング部２４，２５を従来構造とし、既述の実施の形態と異なり、センタハウジング部２２，２３側が拡大成形された円筒状体の補強部材３６を用いている。そして、下部側先端部３６ａを除いて、当該補強部材３６をチューブハウジング部２５およびセンタハウジング部２２，２３に接合し、その下部側先端部３６ａをセンタハウジング部２２，２３内に突出すべく配置して、オイル流出抑制のバッフルプレートとして用いている。また、補強部材３６の上面部には、巾方向に沿って延びる凹部３７が形成されており、この凹部３７はブリーザプラグ３８と対応して配設され、該ブリーザプラグ３８からのオイル飛沫の流出を防止している。したがって、この変形例によれば、補強部材３６がバッフルプレート等としての機能も有しているため、従来のアクスルハウジングで使用したオイルデフレクタプレートおよびオイルデフレクタは不要となる。
【００１８】
【発明の効果】
上述の如く、本発明に係るアクスルハウジングは、少なくともセンタハウジング部と左右一対のチューブハウジング部とを互いに接合することにより構成されるものであって、上記センタハウジング部を分割構造とし、上記左右一対のチューブハウジング部のセンタハウジング部側端部を延長して上記センタハウジング部のデフ収納部形状に拡大成形し、該拡大成形したチューブハウジング部の延長部を上記センタハウジング部の内部に入れ、下部側先端を除いて上記センタハウジング部に重なり合わせて接合させ、上記チューブハウジング部の一部を、上記センタハウジング部の底面から所定の高さ位置に配設される横方向の壁であるバッフルプレートとして構成しているので、従来のアクスルハウジングと比べてハウジング構造が簡単である上、応力集中部となるセンタハウジング部とチューブハウジング部との接合部などを補強でき、高強度・高機能を確保することができる。しかも、本発明のアクスルハウジングでは、補強部材やオイルデフレクタ等を使用する必要がなくなるので、部品点数および組付工数の削減によってコストダウンを図ることができる。
また、本発明に係るアクスルハウジングは、少なくともセンタハウジング部と左右一対のチューブハウジング部とを互いに接合することにより構成されるものであって、上記センタハウジング部を分割構造とし、上記チューブハウジング部側に位置する基端部を上記センタハウジング部に接合し、先端部を上記センタハウジング部内に突出して上記センタハウジング部の底面から所定の高さ位置に配設される横方向の壁であるバッフルプレート構造を持つ補強部材を配置しているので、従来のアクスルハウジングと比べてハウジング構造が簡単である上、応力集中部となるセンタハウジング部とチューブハウジング部との接合部などをより一層補強でき、高強度・高機能を確保することができる。しかも、本発明のアクスルハウジングでは、オイルデフレクタ等を使用する必要がなくなるので、部品点数および組付工数の削減によってコストダウンを図ることができる。
さらに、本発明に係るアクスルハウジングは、少なくともセンタハウジング部と左右一対のチューブハウジング部とを互いに接合することにより構成されるものであって、上記センタハウジング部を分割構造とし、上記センタハウジング部側が拡大成形された筒状体の下端側先端部を上記センタハウジング部内に突出して上記センタハウジング部の底面から所定の高さ位置に配設される横方向の壁であるバッフルプレート構造を持つ補強部材を配置しているので、上記発明と同様の効果が得られる。
【図面の簡単な説明】
【図１】本発明の実施の形態に係るアクスルハウジングを分解して示す斜視図である。
【図２】本発明の実施の形態のアクスルハウジングを示す正面図である。
【図３】センタハウジング部の内部にデフオイルが注油された本発明の実施の形態のアクスルハウジングを示す断面図である。
【図４】本実施の形態の変形例に係るアクスルハウジングを示す断面図である。
【図５】図４におけるアクスルハウジングのセンタハウジング部と補強部材との関係を示す斜視図である。
【図６】本実施の形態の他の変形例に係るアクスルハウジングを示す断面図である。
【図７】図６におけるアクスルハウジングのセンタハウジング部と補強部材との関係を示す斜視図である。
【図８】従来のアクスルハウジングを分解して示す斜視図である。
【図９】従来のアクスルハウジングを示す正面図である。
【図１０】センタハウジング部の内部にデフオイルが注油された従来のアクスルハウジングを示す断面図である。
【符号の説明】
１  アクスルハウジング
２，３  センタハウジング部
４，５  チューブハウジング
６  デフ収納部
１０，１１  延長部
【図１】
0003557764.tif 000002
【図２】
0003557764.tif 000003
【図３】
0003557764.tif 000004
【図４】
0003557764.tif 000005
【図５】
0003557764.tif 000006
【図６】
0003557764.tif 000007
【図７】
0003557764.tif 000008
【図８】
0003557764.tif 000009
【図９】
0003557764.tif 000010
【図１０】
0003557764.tif 000011